(57)【特許請求の範囲】
【請求項１】
測定試料を分析する分析装置本体から取得した分析データを解析処理し、その結果を記憶装置に記憶させる分析データ処理装置において、
分析データを解析処理して検出されると予想される１つの成分の検出量または複数の成分の検出量の合計値が異常か否かを判定する基準である検出閾値を設定する閾値設定手段と、
前記分析データを解析処理する分析データ処理部と、を備え、
該分析データ処理部は、
前記検出閾値を超えたか否かを判定する検出判定手段と、
前記検出判定手段により前記検出閾値を超えたと判定されたとき、超えたと判定された前記成分に関わる情報をラベルとして付して前記分析データの解析結果を前記記憶装置に記憶させる解析結果データ保存手段と、
を有することを特徴とする分析データ処理装置。
【請求項２】
ユーザが任意に入力する分析に関する情報にもとづき、データの管理構造を前記記憶装置内のフォルダの階層で作成するデータ管理構造作成手段と、
前記解析結果データ保存手段に前記分析データの解析結果を前記記憶装置に記憶させるときの前記フォルダの階層を指定する階層指定手段と、を備え、
前記解析結果データ保存手段は、前記記憶装置の前記階層指定手段によって指定された前記フォルダの階層に記憶させることを特徴とする請求項1に記載の分析データ処理装置。
【請求項３】
前記分析装置本体が分析するときの動作条件である装置条件を設定して、前記記憶装置に記憶させる装置条件設定手段と、
前記分析データを前記分析データ処理装置において解析処理するときの処理条件を設定して、前記記憶装置に記憶させる処理条件設定手段と、
複数の測定試料に対して前記分析装置本体で分析させる順番を設定し、各測定試料に対して適用する前記装置条件と前記処理条件とを関係付け、試料条件情報として前記記憶装置に記憶させる試料条件設定手段と、
前記試料条件情報の前記装置条件を取得して、前記分析装置本体に出力して当該測定試料に対応した制御する分析管理部と、を備え、
前記分析データ処理部は、
前記分析データを前記試料条件情報のどの測定試料に対応するかを示す関係付け情報を付して前記記憶装置に記憶させ、
前記試料条件情報から取得した前記処理条件にもとづいて前記分析データを当該測定試料に対応した解析処理をし、その解析結果データを前記試料条件情報のどの測定試料に対応するかを示す関係付け情報を付して前記記憶装置に記憶させることを特徴とする請求項１または請求項２に記載の分析データ処理装置。
【請求項４】
さらに、
前記記憶装置に記憶された特定の前記解析結果データを検索する検索手段を備え、
該検索手段は、前記超えたと判定された前記成分に関わる情報を検索キーとして前記解析結果データを検索することを特徴とする請求項１から請求項３のいずれか１項に記載の分析データ処理装置。
【請求項５】
さらに、
前記記憶装置に記憶された所定の前記分析データおよび前記解析結果データを読み出して、他の記憶媒体に記憶させるデータ複写手段を備え、
該データ複写手段は、ユーザが指定した所定の前記分析データまたは前記解析結果データに付加された前記試料条件情報のどの測定試料に対応するかを示す関係付け情報にもとづいて、指定された前記分析データおよび前記解析結果データとともに、対応する前記装置条件および前記処理条件も読み出して、前記他の記憶媒体に記憶させることを特徴とする請求項３に記載の分析データ処理装置。
【請求項６】
測定試料を分析する分析装置本体から取得した分析データを解析処理し、その結果を記憶装置に記憶させる分析データ処理装置におけるファイル保存方法であって、
予め、閾値設定手段により分析データを解析処理して検出されると予想される１つの成分の検出量または複数の成分の検出量の合計値が異常か否かを判定する基準である検出閾値を記憶させておき、
検出判定手段により前記検出閾値を超えたか否かを判定し、
前記検出判定手段により前記検出閾値を超えたと判定されたとき、前記成分に関わる情報をラベル名として前記分析データの解析結果を前記記憶装置に記憶させることを特徴とする分析データ処理装置におけるファイル保存方法。
【発明の詳細な説明】
【技術分野】
【０００１】
本発明は、試料の測定や分析などに使用される各種分析装置、例えば、クロマトグラフ分析装置、質量分析装置、分光光度計などにより取得された分析データを解析処理して保存、管理する分析データ処理装置および分析データおよびその解析結果を保存するファイル保存方法に関する。
【背景技術】
【０００２】
近年、分析装置においては、微細化や多項目化、高感度化、高速化といった性能と機能の高度化が進む一方で、その利用形態の多様化、分業化が進んでいる。例えば、ＨＰＬＣ（High Performance Liquid Chromatography）と呼ばれる高速液体クロマトグラフは、高スループットで様々な有機化合物を分離、定量するための手法として広く用いられている。
この液体クロマトグラフ分析に用いられる分析装置は、ポンプ、サンプラ、カラム、検出器や、それらを制御する制御部を有する分析装置本体と、一般にパーソナルコンピュータからなる分析データ処理装置とから構成されている。
【０００３】
分析データ処理装置は、分析装置本体の検出器からの信号（分析データ）を解析処理して、クロマトグラムの波形処理により、ピークの位置から成分を同定したり、ピーク面積から成分の量を算出したりして、解析結果データを得る。このとき、解析結果データは分析データと一緒に、分析データ処理装置の記憶装置に保存される。
【０００４】
記憶装置に保存された分析データや解析結果データは、その後、分析データの再確認やデータ解析条件（処理条件）を変更して再解析を行うために、記憶装置に保存し続けることが多い。
また、近年分析機器の分野においてもネットワーク化が進み、複数の分析機器から取得した分析データや解析結果データを１つの記憶装置に共有して集中管理するようになってきている。その場合、記憶装置に保存される分析データや解析結果データの数は莫大なものとなる。
【０００５】
その結果、ユーザが多数の測定試料に対する分析データおよび解析結果データの結果の迅速なサーベイ、例えば、環境モニタリング試料に対する通常時の成分量を超える異常な結果を含んでいる分析データおよび解析結果データの迅速なピックアップには、この莫大な数の分析データおよび解析結果データの中から所望のものを探さなければならない。
また、ユーザが分析データの再確認、再解析、または、バックアップやデータの移動・持ち運びを行う場合、この莫大な量の分析データや解析結果データの中から所望のデータを探さなければならない。
【０００６】
特許文献１に記載されている従来技術においては、この分析データや解析結果データを探すために分析データ処理装置に搭載されている検索機能を用いて行っている。その検索方法は、分析に使用した分析装置名、測定試料名、分析者名、分析日時などの検索条件を用いて行うものである。これは、ユーザが所望の分析データや解析結果データの検索条件を１つ、あるいは複数指定することにより、その条件に合致する分析データや解析結果データを検索する、またはユーザが階層的に検索条件を指定し、一つずつ検索条件を絞り込んでいくことにより、分析データや解析結果データを検索する。
【特許文献１】特開平１０−１９７５０９号公報
【発明の開示】
【発明が解決しようとする課題】
【０００７】
しかしながら、特許文献１に記載された分析データや解析結果データの検索方法では、その分析結果データが通常時とことなる異常な結果を含んでいるかどうかは、ユーザが分析結果データを一つ一つ点検してからでないと判明せず、分析結果データの点検をユーザに積極的に促し、迅速に当該の分析データや分析結果データを検索しやすくする点で課題があった。
【０００８】
本発明は前記課題を解決するためになされたものであり、その目的とするところは、データ検索が容易で、効率的な分析作業が行える分析データ処理装置を提供することにある。
【課題を解決するための手段】
【０００９】
前記目的を達成するために、本発明の分析データ処理装置は、分析データを解析処理して検出されると予想される１つの成分の検出量または複数の成分の検出量の合計値が異常か否かを判定する基準である検出閾値を設定する閾値設定手段と、検出閾値を超えたか否かを判定する検出判定手段と、検出判定手段により検出閾値を超えたと判定されたとき、超えたと判定された成分に関わる情報をラベルとして付して分析データの解析結果を記憶装置に記憶させる解析結果データ保存手段と、を備えることを特徴とする。
【００１０】
本発明によれば、分析データ処理装置は、測定試料中から検出されると予想された成分の検出量が検出閾値を超えたとき、分析データの解析結果を保存するために記憶装置に記憶させるときに、超えたと判定された成分に関わる情報をラベルとして付して記憶させるので、検索するときに超えたと判定された成分に関わる情報を検索条件とすることにより、異常な結果を含んでいると思われる分析データや解析結果データが容易に効率よく検索可能となる。
本発明は、分析データ処理装置におけるファイル保存方法を含む。
【発明の効果】
【００１１】
本発明によれば、データ検索が容易で、効率的な分析作業が行える分析データ処理装置を提供することができる。
【発明を実施するための最良の形態】
【００１２】
以下、本発明の実施形態に係わる分析データ処理装置を適用した分析装置について、図を参照しながら説明する。本実施形態に係る分析データ処理装置を適用した分析装置として、液体クロマトグラフ分析装置を例に説明する。
図１は液体クロマトグラフ分析装置のシステムブロック図である。
【００１３】
《分析装置の構成》
液体クロマトグラフ分析装置（分析装置）１は、分析装置本体１０と分析データ処理装置２０とから構成されている。
（分析装置本体）
分析装置本体１０は、溶離液を入れた溶離液タンク２、溶離液を送出するポンプ３、複数の測定試料を保持して、所定量を注入するサンプラ４、測定試料の成分を分離するカラム５、分離された成分を測定する検出器６と、分析装置本体１０を制御する制御部７、分析データ処理装置２０との通信をする通信ユニット８を含んでいる。
【００１４】
制御部７は、分析データ処理装置２０からの制御コマンドを、通信ユニット８を介して受信する。制御部７は、その制御コマンドに従ってポンプ３を制御し、溶離液タンク２から溶離液を吸い込み所定の流速で送液する。サンプラ４は制御部７に制御されて、指示された測定試料を送液された溶離液に所定量だけ分注する。カラム５にはカラム５を通過する溶離液の温度を制御部７の制御によって所定の温度に設定する図示しないオーブンが設けられている。カラム５を通過した測定試料の入った溶離液は、検出器６に流れ、検出器６で測定される。
成分が分離された測定試料は、検出器６により時間軸上でスペクトルを検出され、その信号が制御部７、通信ユニット８を介して分析データ処理装置２０に送られる。
【００１５】
ちなみに、カラム５は測定試料に対応して変更の必要が生じたとき、また、カラム５を所定の回数使用し、分離機能が寿命に達したとき、取替え可能に構成されている。そして、分析データ処理装置２０側において、分析装置本体１０に現在組み込まれているカラム５がどういうタイプのもので、使用回数がいくらのものかの履歴を取れるように、分析装置本体１０に組み込まれるカラム５にはＲＦＩＣ（Radio Frequency Integrated Circuit）タグが取り付けられ、分析装置本体１０にはＲＦＩＣタグ・リーダ・ライタ（以下、ＲＦＩＣタグ・Ｒ／Ｗと称する）１２が設けられている。ＲＦＩＣタグ・Ｒ／Ｗ１２は制御部７に制御されてＲＦＩＣタグ１１に書き込まれている情報を読み出し、制御部７に送信し、制御部７はその情報を分析データ処理装置２０に送信する。
【００１６】
また、図１には記載されていないが、測定試料の種類によってはカラム５を通過後の溶離液中に分離された測定試料の成分と反応させる反応液を図示しないポンプで吸い込んで注入し、反応させてから検出器６に送られる液体クロマトグラフ分析装置１もある。
さらに、検出器６として複数のタイプの検出器、例えば、ＵＶ（Ultra Violet）検出器、ＵＶ−ＶＩＳ（Visual）検出器、ＲＩ（Refractive Index）検出器（示差屈折率検出器）、蛍光検出器、伝導度検出器などを備えて、その中の１つの検出器で測定したり、複数の検出器で並行して検出したりする場合もある。
【００１７】
（分析データ処理装置）
分析データ処理装置２０としては、例えば、パーソナルコンピュータが使われている。分析データ処理装置２０は、ＣＰＵ２１、内部バス２２、並びに内部バスに接続したＲＡＭ２３、ハードディスク装置などの記憶装置２４、入出力制御部２５、および通信ユニット３０を含んでいる。入出力制御部２５はインタフェース回路であり、ディスプレイ２６、キーボード２７ａ、マウス２７ｂ、スピーカ２８、リムーバブル・ディスクドライブ２９などの入出力装置と接続している。
通信ユニット３０は、分析装置本体１０の通信ユニット８と通信回線９で接続されている。
【００１８】
この分析データ処理装置２０には、分析装置本体１０を操作するための分析管理プログラム５２や、検出器６からの信号をデータ処理する分析データ処理プログラム５３や、それらのプログラム５２、５３を動作させるときの条件を入力するユーザインタフェース制御プログラム（以下、ＵＩ制御プログラムと称する）５１などが記憶装置２４に組み込まれており、ＣＰＵ２１がそのプログラム５１，５２，５３を読み出して実行し、キーボード２７ａやマウス２７ｂなどの入力装置を介してユーザがそれらのプログラム５１，５２，５３を用いて分析装置本体１０や分析データ処理装置２０を動作させることが可能となっている。
【００１９】
この分析データ処理プログラム５３により検出器６からの信号が処理されて、クロマトグラムデータが作成され、そのクロマトグラムがディスプレイ２６に表示される。１つの試料の測定完了後、そのクロマトグラムデータを分析データとして記憶装置２４の所定の領域である分析データ・データベース（以下、分析データＤＢと称する）５４の予めユーザにより任意に指定されたフォルダの中にファイルで保存し、所定のデータ解析条件によりクロマトグラムのピークの同定、ピーク面積の算出などの分析データの解析が行われる。分析データの解析結果データも、記憶装置２４の所定の領域である分析データＤＢ５４の予めユーザにより任意に指定されたフォルダにファイルで保存される。
【００２０】
《分析データ処理装置の機能構成》
次に、分析データ処理装置２０における詳細な機能構成と、分析データや解析結果などのデータファイルの保存法について説明する。
図２は、本実施形態における分析データ処理装置の機能構成ブロック図である。分析データ処理装置２０は、機能構成としてユーザインタフェース制御部（以下、ＵＩ制御部と称する）３５、分析管理部３７、分析データ処理部３９を含んでいる。
（ＵＩ制御部）
ＵＩ制御部３５は、ＵＩ制御プログラム５１が実行する機能であり、分析装置本体１０のポンプ３、サンプラ４、カラム５、検出器６などの各モジュールの動作条件（以下、装置条件と称する）を設定し、設定した分析装置本体１０の装置条件を装置条件データ５４ａとして記憶装置２４の分析データＤＢ５４の領域に記憶させ、分析管理部３７に分析装置本体１０の各モジュールの動作を管理させたりする。また、ＵＩ制御部３５は、分析装置本体１０から取得した検出器６のデータを分析データ処理部３９にデータ処理させる処理条件を設定し、処理条件データ５４ｂとして分析データＤＢ５４の領域に記憶させたりする。
【００２１】
そして、ＵＩ制御部３５は、分析管理部３７を介して分析装置本体１０における分析の進捗状況をディスプレイ２６に表示させたり、分析管理部３７が分析装置本体１０から受信した検出器６のデータをクロマトグラムのデータ（分析データ）としてディスプレイ２６に表示させたりする。
なお、ここでは、検出器６のデータの形態およびクロマトグラムのデータの形態の両方を請求項に記載の分析データに対応する。
【００２２】
（分析管理部）
分析管理部３７は、分析管理プログラム５２が実行する機能であり、記憶装置２４に記憶された装置条件（装置条件データ５４ａ）にしたがって通信ユニット８を経由して分析装置本体１０へ装置条件に対応したコマンド群を受け渡しすることにより分析装置本体１０を制御して測定試料の分析を遂行し、分析装置本体１０から分析の進捗（以下、分析進捗と記す）と分析結果を取得し、分析データ５４ｄとして記憶装置２４に記憶させる。
【００２３】
（分析データ処理部）
分析データ処理部３９は、分析データ処理プログラム５３が実行する機能であり、ＵＩ制御部３５に制御されて、記憶装置２４に記憶された処理条件（処理条件データ５４ｂ）に従って分析データ５４ｄを解析処理し、その結果を解析結果データ５４ｅとして記憶装置２４に記憶させるとともに、ＵＩ制御部３５に受け渡してディスプレイ２６に表示させる。
【００２４】
ちなみに、処理条件データ５４ｂは、分析データ５４ｄの解析処理に対して適用する後記するピーク位置と成分名のデータや、検量線のデータや、検量線の対応している成分名など諸データを含んでいる。
なお、ＵＩ制御プログラム５１、分析管理プログラム５２、分析データ処理プログラム５３は、相互にデータの受け渡しや、指令の授受をする一体のプログラムパッケージである。
【００２５】
（分析データＤＢ）
記憶装置２４の分析データＤＢ５４には、前記した装置条件データ５４ａ、処理条件データ５４ｂ、分析データ５４ｄ、解析結果データ５４ｅのほかに、後記するサンプルテーブルデータ５４ｃや、メソッドデータ５４ｆが格納される。
ちなみに、メソッドデータとは、装置条件データ５４ａと処理条件データ５４ｂとをまとめたものである。ルーチン分析においては装置条件も処理条件も所定の組み合わせに決まっているので、そのような組み合わせを前もってライブラリー化して分析データＤＢ５４の中にメソッドデータ５４ｆとしてファイル名を付して登録しておき、測定試料に対して、メソッドデータ５４ｆのファイル名を指定することによって、装置条件と処理条件が設定されるという簡便な方法である。
【００２６】
《分析作業の手順》
次に、液体クロマトグラフ分析装置１を使用した場合における分析作業の手順を、図３から図１０を参照しながら適宜図１、図２を参照して説明する。
図３、図４は分析作業全体の流れを示すフローチャートである。
まず、ユーザは分析を始めるにあたり、キーボード２７ａ、マウス２７ｂなどの入力装置を使用して所定の操作を行い、分析装置本体１０と分析データ処理装置２０を起動する。分析データ処理装置２０が起動されると、ＵＩ制御部３５は操作画面をディスプレイ２６に表示し、ユーザに操作を促す。
【００２７】
（フォルダの管理階層の作成）
ステップＳ１１では、ＵＩ制御部３５（図２参照）は、分析データなどの保存の管理階層を作成するか否かをユーザに質問する。ユーザからの入力が新たに管理階層を作成する場合（Ｙｅｓ）は、ステップＳ１２へ進み、ユーザからの入力が管理階層を新たに作成せず、すでに存在する管理階層を利用する場合（Ｎｏ）は、ステップＳ１３へ進む。
【００２８】
ステップＳ１２では、ユーザの入力に応じてＵＩ制御部３５は管理階層を作成する。ＵＩ制御部３５は、図５のようなフォルダの階層を作成するための画面をディスプレイ２６に表示する。図５はその画面の一例であり、フォルダの階層は、例えば、４階層まで作成できる。ユーザは希望するフォルダの階層を設定するために、それぞれの各階層に分析データの情報（プロジェクト名、分析者名、分析装置名、分析日（ファイル保存日）、測定試料名、使用カラムなど）を設定する。図５の例では、第１階層のフォルダ５５Ａの名を研究課題や開発チームなどのプロジェクト名「プロジェクトＡ」とし、第２階層のフォルダ５５Ｂの名を測定したユーザ名「ユーザ１」とし、第３階層のフォルダ５５Ｃの名を測定に使用した分析装置名「分析装置Ｉ」とし、第４階層のフォルダ５５Ｄの名を測定した日付としている。
【００２９】
このようにユーザ自身が後で分析データなどのファイルを検索し易いように、ユーザはフォルダの階層構成とフォルダ名を設定する。
そして、後記する用に破線枠で示したサンプルテーブルデータ５４ｃ、装置条件データ５４ａ、処理条件データ５４ｂ、分析データ５４ｄ、解析結果データ５４ｅを第４階層のフォルダ５５Ｄの下に保存する。
なお、各フォルダ５５Ａ，５５Ｂ，５５Ｃ，５５Ｄは上位の階層から自身の階層までのパス情報を関係付け情報として有している。同様にフォルダ５５Ｄの下に保存されるデータファイル５４ａ〜５４ｅも上位の階層から自身の階層までのパス情報を関係付け情報として有している。
【００３０】
（保存先のフォルダ設定）
次に、ユーザはキーボード２７ａ、マウス２７ｂなどの入力装置で所定の操作を行い、保存先のフォルダ５５Ａ，５５Ｂ，５５Ｃを指定する。図６に保存先のフォルダの階層の設定画面例を示す。
この設定画面では、液体クロマトグラフ分析装置１の使用目的のプロジェクト名を欄６０に入力し、次に試料の測定を行う分析者名を欄６１に入力し、次に試料の測定に使用する分析装置名を欄６２に入力する。
なお、フォルダ５５Ｄの日付のフォルダ名に関しては、分析データなどのファイルの保存日とするため、ここでの設定は行わなくても自動的にＵＩ制御部３５がフォルダ５５Ｄを作成する。また、この設定はパーソナルコンピュータなどにおけるログインのように、分析データ処理装置２０を起動する際にも設定が可能である。この設定は次の変更がされるまで継続して維持される。
【００３１】
ステップＳ１３では、ＵＩ制御部３５は、前記したユーザの保存先のフォルダ５５Ｃを指定する入力に応じて、前記した装置条件データ５４ａ、処理条件データ５４ｂ、サンプルテーブルデータ５４ｃ、分析データ５４ｄ、解析結果データ５４ｅなどのファイルに対して、ステップＳ１２で設定したフォルダ５５Ｃ、または、すでに作成済みのフォルダ５５Ｃの中から保存先のフォルダ５５Ｃを特定するための入力を受け付ける（保存先のフォルダ設定）。
【００３２】
（装置条件の設定）
次に、ユーザは分析の準備として、分析装置本体１０の各モジュール（ポンプ３やサンプラ４、カラム５、検出器６）の動作条件である装置条件を設定する。ユーザがキーボード２７ａやマウス２７ｂなどの入力装置で所定の操作を行なうと、ＵＩ制御部３５はディスプレイ２６に装置条件設定のための画面を表示させる。ユーザは、その画面上でポンプ３やサンプラ４、カラム５、検出器６などの装置条件を入力する。ＵＩ制御部３５はその入力を受付け（ステップＳ１４、「装置条件の設定」）、ユーザが所定の操作入力で装置条件の入力を終了したのを検出すると、図７に示すような装置条件のファイル保存のための画面（ウィンド）を表示させる。ファイル名設定欄６３には、装置条件であることを示す識別子の役割をする所定の符号が自動的に表示され、その後にユーザが適当な符号やタイトルを付加可能となっている。ユーザが適当な符号やタイトルを付加して、保存ボタン６４を押下すると記憶装置２４に装置条件データ５４ａのファイル保存が行われる（ステップＳ１５、「装置条件の保存」）。
【００３３】
この時ファイルの保存先は、前記図６に示した表示画面で設定した保存先のフォルダ５５Ｃの下の階層に自動的に設定され、保存される。
例えば、図５に示したような管理階層において、フォルダ５５Ａに「プロジェクトＡ」、フォルダ５５Ｂに「ユーザ１」、フォルダ５５Ｃに「分析装置Ｉ」とそれぞれフォルダ名が設定され、その日が２００７年１月１０日の場合、その日付に対応する「２００７＿０１＿１０」という名のフォルダ５５Ｄにファイルを保存する。
なお、第４階層のフォルダ名はファイルを保存した時の日付であり、前記「２００７#０１#１０」は一例である。日付の書式を限定するのもではない。また、ＵＩ制御部３５は、前記階層のフォルダ内にファイルを保存する際に、当日の日付名のフォルダ５５Ｄが存在しない場合は、新規に該当フォルダ５５Ｄを自動的に作成する。
【００３４】
（処理条件の設定）
次に、ユーザは分析装置本体１０から送られてきた分析データを分析データ処理部３９で解析処理させるための処理条件を設定する。ユーザがキーボード２７ａやマウス２７ｂなどの入力装置で所定の操作を行なうと、ＵＩ制御部３５はディスプレイ２６に処理条件設定のための画面を表示させる。ユーザは、その画面上で分析データに対して使用するピーク位置と成分名の対応データや、検量線のデータなどを指定したり、ベースラインの設定方法を指定したりする処理条件を設定する入力をする。
【００３５】
ＵＩ制御部３５はその入力を受付け（ステップＳ１６、「処理条件の設定」）、ユーザが所定の操作入力で処理条件の入力を終了したのを検出すると、図７に示すような処理条件のファイル保存のための画面（ウィンド）を表示させる。ファイル名設定欄６３には、処理条件であることを示す識別子の役割をする所定の符号が自動的に表示され、その後にユーザが適当な符号やタイトルを付加可能となっている。ユーザが適当な符号やタイトルを付加して、保存ボタン６４を押下すると記憶装置２４に処理条件データ５４ｂのファイル保存が行われる（ステップＳ１７、「処理条件の保存」）。
【００３６】
（サンプルテーブルの設定）
次に、ユーザは測定する測定試料とその順番を指定したり、当該の測定試料の分析に使用する装置条件や処理条件を指定したりするサンプルテーブルを設定する。ユーザがキーボード２７ａやマウス２７ｂなどの入力装置で所定の操作を行なうと、ＵＩ制御部３５はディスプレイ２６にサンプルテーブル設定のための画面を表示させる。
図８はサンプルテーブル設定のための試料条件設定画面を説明する図である。試料条件設定画面７０は、メニュー欄６７、試料測定条件項目欄７２、「確定」と表示された試料条件確定用のアイコンボタン７４より構成される。メニュー欄６７には、サンプルテーブルのファイルを保存したり、削除させる各種メニューを含む「ファイル（Ｆ）」と表示されたアイコンボタン６７ａと、表示されているテキストをコピーしたり、コピーされたテキストを貼り付ける「編集（Ｅ）」と表示されたアイコンボタン６７ｂが設けられている。
【００３７】
試料測定条件項目欄７２には、測定試料の分析順を示す通し番号欄７２ａ、サンプラ４におけるセットされた測定試料容器の位置（Ｖｉａｌ  Ｎｏ．）を示す番号欄７２ｂ、測定試料種別欄７２ｄ、測定試料名欄７２ｅ、予め設定された装置条件に対応付けられた装置条件ファイル名を表示する装置条件ファイル名欄７２ｉ、予め設定された処理条件に対応付けられた処理条件ファイル名を表示する処理条件ファイル名欄７２ｋ、予め設定されたメソッドファイル名を表示するメソッドファイル名欄７２ｆが設けられている。
なお、本試料測定条件項目欄７２の構成は、装置条件ファイル名と処理条件ファイル名をそれぞれセットで指定するか、装置条件データと処理条件データを１セットとして収めたメソッドデータのファイル名を指定するかのいずれも選択可能としている。
【００３８】
分析順を示す通し番号欄７２ａは自動的に測定試料名の入力順に、番号を１から振っていかれるが、その後ユーザが入力した優先順番号のものはそのままその入力番号順とし、他の測定試料はその後に測定するように分析順位をオーバーレイ可能としても良い。測定試料種別欄７２ｄは、コンボボックスであり、選択肢表示ボタン６９を設けて、選択肢の測定試料種別をコンボボックスに表示し、選択肢の測定試料種別がラジオ・ボタンとして機能し、選択された測定試料種別が測定試料種別欄７２ｄに表示される。測定試料名欄７２ｅは、今回の分析対象の測定試料の数だけユーザがキーボード２７ａおよびマウス２７ｂを操作して入力が必要な部分である。
【００３９】
装置条件ファイル名欄７２ｉ、処理条件ファイル名欄７２ｋ、メソッドファイル名欄７２ｆは、ファイル名を手入力することもできるし、管理階層表示ボタン６９Ａを使用してそれぞれのファイルが格納されているフォルダを検索し、図示しない小ウィンドを一時的に発生させて、その中に表示させ、その中の一つのファイルを選択してクリックすることによって入力することもできる。
【００４０】
ユーザの試料条件設定画面７０における入力操作をＵＩ制御部３５が受け付けて（ステップＳ１８、「サンプルテーブルの設定」）、試料条件確定用のアイコンボタン７４が押下されると、ＵＩ制御部３５は選択された装置条件ファイル名、処理条件ファイル名、またはメソッドファイル名が存在するか否かをチェックし、異常がなければ装置条件の場合に例示したと同様に、図７のサンプルテーブルの設定ファイル保存のための画面が表示される。ファイル名設定欄６３には、サンプルテーブルデータ５４ｃであることを示す識別子が自動的に表示され、その後ろに適当なファイル名を入力し、保存ボタン６４を押下するとファイルの保存が行われる（ステップＳ１９、「サンプルテーブルの保存」）。この時、測定条件のファイル保存と同じように、ファイルの保存先は、前記ステップＳ１３において設定したフォルダ５５Ｃの中のフォルダ５５Ｄに自動的に設定され、記憶装置２４に保存される。
また、前記階層のフォルダ５５Ｃ内にファイルを保存する際に、前記の保存先の日付フォルダ５５Ｄが存在しない場合は、装置条件の時と同様に新規に日付フォルダ５５Ｄを作成する。
【００４１】
次いで、ステップＳ２０では、ＵＩ制御部３５がユーザに全ての測定試料について入力が完了したかをディスプレイ２６の画面表示で質問し、完了している場合（Ｙｅｓ）はステップＳ２１へ進み、完了していない場合（Ｎｏ）はステップＳ１４に戻り、ユーザに入力を続けさせる。
なお、装置条件、処理条件、またはメソッドが予め記憶装置２４に登録されたものを使用する場合は、ユーザはステップＳ１４〜Ｓ１７を省略してステップＳ１８、Ｓ１９の入力操作で済ますことができる。
【００４２】
（検出閾値の設定）
ステップＳ２１では、ＵＩ制御部３５は検出閾値設定画面をディスプレイ２６に表示させて、ユーザに検出閾値を入力させ、それをサンプルテーブルに追加データとして追加して記憶装置２４に記憶させる（検出閾値設定）。
この制御の流れを図９および図１０を参照しながら詳細に説明する。
図９は検出閾値設定画面を説明する図であり、図１０は検出閾値の設定の制御の流れを示すフローチャートである。
【００４３】
図９に示すように検出閾値設定画面７０Ａは、メニュー欄６７、試料測定条件項目欄７２Ａ、確定用のアイコンボタン７４より構成される。本画面７０Ａは試料条件設定画面７０に似た構成をしており、同じ欄やアイコンボタンには同じ符号を付し、重複する説明を省略する。
試料測定条件項目欄７２Ａの欄７２ａ，７２ｂ，７２ｄ，７２ｅ，７２ｉ，７２ｋおよび７２ｆには、ステップＳ１９で保存されたサンプルテーブルのデータが表示されている。その右側に各測定試料に対応して、チェック欄７２ｍが設けられ、さらに複数組の成分名欄７２ｎ、閾値欄７２ｐが設けられている。
【００４４】
以下に、図１０のフローチャートを参照しながら検出閾値の設定の制御を説明する。
ステップＳ５１では、ＵＩ制御部３５は、検出閾値設定要求があったか否かをチェックする。検出閾値設定要求があった場合（Ｙｅｓ）はステップＳ５２へ進み、なかった場合（Ｎｏ）は終了する。検出閾値設定要求があったか、否かの判定は、以下のように行なわれる。ユーザがマウス２７ｂを使ってポインタを、着目する測定試料の行に当ててクリックすると、ＵＩ制御部３５はその行の背景色を通常背景色から変化させ、その測定試料が選択されたことを表示する。再度その行をクリックするとその行の背景色は通常状態に戻る。選択状態の背景色の行のチェック欄７２ｍにポインタを移動させ、クリックすると、ＵＩ制御部３５はチェック欄７２ｍにチェックマークを表示させ、その状態になったときに検出閾値設定要求があったと判定する。ユーザが、チェックマークが表示されたチェック欄７２ｍを、再度クリックすると、表示されたチェックマークは、消され、検出閾値設定要求は取り消される。
【００４５】
ステップＳ５２では、ＵＩ制御部３５は、選択状態の行のチェックマークが付された測定試料に対応する処理条件ファイル名欄７２ｋにもとづいて、記憶装置２４に記憶された当該ファイル名の処理条件データ５４ｂを読み込む。そして、ステップＳ５３では、ＵＩ制御部３５は、その処理条件で指示されている検出予想成分を読み出して、図示しない小ウィンドを発生させてそれに、成分名とそれに対応する予め決められた略号符号を表示する。ユーザは小ウィンドに表示された成分名の略号符号をクリックすると最初の組の成分名欄７２ｎに略号符号がコピーされる（ステップＳ５４、「検出閾値を設定する成分の選択受付け」）。そして、ユーザがその右の欄に検出閾値を手入力するのを受け付ける（ステップＳ５５、「当該成分の検出閾値の設定入力を受付け」）。
ちなみに、処理条件データ５４ｂには、分析データのクロマトグラムの検出が予想されるピーク位置に対応する成分を同定するクロマトグラム波形処理のためのデータが含まれているので、ピーク位置に対応する成分名から容易に、成分名ごとの検出閾値の設定が行える。
【００４６】
例えば、飲料水の定期的な水質検査の場合には、水道法によりシアン化物および塩化シアンに対して、シアンの量に関して０．０１ｍｇ／リットル以下であること、陰イオン界面活性剤に対して０．２ｍｇ／リットル以下であることが要求されている。これに対し、液体クロマトグラフ分析装置１により、ＣＮ-，ＣＮＣｌ-に対するそれぞれの閾値または合算閾値を設定したり、デシルベンゼンスルホン酸ナトリウム、ウンデシルベンゼンスルホン酸ナトリウム、ドデシルベンゼンスルホン酸ナトリウム、トリデシルベンゼンスルホン酸ナトリウム、テトラデシルベンゼンスルホン酸ナトリウムに対するそれぞれの閾値または合算閾値を設定したりする。
【００４７】
合算閾値の場合は成分名欄７２ｎ欄に合算対象の成分に対応する略号符号を結合符号、例えば、＋符号で結ぶことにより定義する。例えば、成分名欄７２ｎが「ＣＮ-＋ＣＮＣｌ-」の場合は、分析データを解析した結果、シアン化イオンと塩化シアンの検出された量の合計値が閾値欄７２ｐに入力された値を超えたとき、後記するステップＳ２５において検出閾値を超えたと判定される。
【００４８】
ステップＳ５６では、ＵＩ制御部３５は、検出閾値の保存要求があったか否かをチェックする。検出保存要求があったことは、ユーザが「確定」と表示されたアイコンボタン７４を押下したかどうかで判定される。検出閾値の保存要求があった場合（Ｙｅｓ）はステップＳ５８へ進み、保存要求が無い場合（Ｎｏ）はステップＳ５７へ進む。
ステップＳ５７では、ＵＩ制御部３５は、別の検出閾値設定要求があったか否かをチェックする。検出閾値設定要求があったか否か野判定は、ステップＳ５１の説明と同じ制御である。検出閾値設定要求があった場合（Ｙｅｓ）はステップＳ５２に戻り、別の測定試料に対する検出閾値設定の処理を続ける。検出閾値設定要求が無かった場合（Ｎｏ）は、ステップＳ５４に戻り、選択状態の背景色の行の検出閾値設定入力を受け付ける処理を続ける。
【００４９】
ステップＳ５８では、ＵＩ制御部３５は、検出閾値をサンプルテーブルに追記して、ステップＳ１９で保存したサンプルテーブルデータ５４ｃ（図２参照）を更新する。
再び図４に戻り、全体フローチャートの説明を続ける。ステップＳ２１の検出閾値設定が終了すると、その後、ステップＳ２２へ進む。
【００５０】
（分析の実行）
装置条件、処理条件およびサンプルテーブルの設定とそのファイルの保存が完了後、ステップＳ２２では、分析管理部３７は、保存された装置条件データ５４ａおよびをサンプルテーブルデータ５４ｃ使用して、最初に分析する測定試料に対する分析装置本体１０における各モジュール３，４，５，６を制御する制御コマンドを発生させ、通信ユニット３０、通信回線９および通信ユニット８を介して制御部７に入力する。制御部７は前記制御コマンドを受信して、各モジュール３，４，５，６を制御し、実際に試料の測定を行う（「分析」）。
【００５１】
（分析データの保存）
試料の測定により検出器６から検出信号が、通信ユニット８、通信回線９および通信ユニット３０を介して分析データ処理装置２０に送られ、分析データ処理装置２０の分析管理部３７で検出信号が受信されて、一時的に記憶装置２４またはＲＡＭ２３に記憶される。分析データ処理部３９は、その一時的に記憶された検出信号を、検出信号が送られてくるのと並行して読み出して処理して、クロマトグラムデータを作成し、このクロマトグラムデータを分析データ５４ｄとして分析データであることを示す識別子を頭に付したファイル名を生成して、記憶装置２４に保存する（ステップＳ２３、「分析データの保存」）。このとき、分析データ処理部３９は分析管理部３７からこの検出信号がサンプルテーブル中のどの測定試料に対応するものであるかを示す情報を取得して、分析データ５４ｄのファイルは、対応しているサンプルテーブルデータ５４ｃとの関係付け情報、およびサンプルテーブル中のどの測定試料であるかを示す関係付け情報が、前記ファイル名の識別子の後ろに付加情報として付加されている。
この際も、装置条件データ５４ａのファイル保存と同じように、ファイルの保存先は、前記ステップＳ１３において設定したフォルダ５５Ｃの下の階層のフォルダ５５Ｄに自動的に保存される。
【００５２】
（分析データの解析処理）
次いで、分析データ処理部３９は、その分析データ５４ｄに適用する処理条件を、前記した分析データ５４ｄのファイル名の関係付け情報にもとづいて、対応するサンプルテーブルデータ５４ｃを分析データＤＢ５４内において検索し、さらに測定試料の関係付け情報によりサンプルテーブルデータ５４ｃ中において対応関係を示されている当該の処理条件データ５４ｂを読み出す。そして、分析データ処理部３９は、読み出した処理条件データ５４ｂにもとづき分析データ５４ｄを解析処理する（ステップＳ２４、「解析処理」）。この分析データ５４ｄには前記したようにピーク位置と成分名の対応データが含まれており、分析データ処理部３９は、分析データ５４ｄのピークの位置と比較して、成分を同定する。
なお、この同定される成分に対する通常の化学組成名称と関係付けて、前記した略号符号（ステップＳ５３における検出閾値設定の説明参照）が処理条件データ５４ｂの中に含まれている。
【００５３】
さらに、分析データ処理部３９は、分析データ５４ｄに含まれるピークに対してベースライン処理をして、ピーク面積を算出し、検量線のピーク面積と比較することにより、検量線における成分の量に対する分析データ５４ｄにおける当該成分の量を算出する。もちろん、検量線のピーク面積に対応する成分の量は処理条件データ５４ｂ中に検量線とセットで含まれている。
【００５４】
（検出成分の検出閾値に対する判定と解析結果の保存）
次いで、分析データ処理部３９は、サンプルテーブルデータ５４ｃの成分名欄７２ｎ（図９参照）と閾値欄７２ｐの情報にもとづいて、検出閾値を超えた成分があるか否かを判定する（ステップＳ２５）。検出閾値を超える成分がある場合（Ｙｅｓ）には、ステップＳ２６に進み、分析データ処理部３９は、ファイル名として解析結果データであることを示す識別子の後ろに前記した分析データ５４ｄのファイル名から取得したサンプルテーブルおよび測定試料の識別の関連付け情報を付加して保存する。このとき、解析結果データのファイルに検出閾値を超えた成分に係わる情報（略号符号）をラベルとして付加して保存する。この際、測定条件のファイル保存と同じように、ファイルの保存先は、前記ステップＳ１３において設定したフォルダ５５Ｃの下の階層のフォルダ５５Ｄ中に自動的に設定され、記憶装置２４に保存される。
また、前記階層のフォルダ５５Ｄ内にファイルを保存する際に、前記の保存先の日付フォルダ５５Ｄが存在しない場合は、装置条件の時と同様に新規に日付フォルダ５５Ｄを作成する。
【００５５】
ステップＳ２５において、検出閾値を超えた成分が無かった場合（Ｎｏ）には、ステップＳ２７に進み、分析データ処理部３９は、解析結果データであることを示す識別子を頭に付け、その後ろに前記した分析データ５４ｄのファイル名から取得したサンプルテーブルおよび測定試料の識別の関連付け情報を付加して、ステップＳ２６の場合のような特別のラベルを付せずに保存する。この際、装置条件のファイル保存と同じように、ファイルの保存先は、前記ステップＳ１３において設定したフォルダ５５Ｃの下の階層のフォルダ５５Ｄ中に自動的に設定され、記憶装置２４に保存される。
また、前記階層のフォルダ５５Ｄ内にファイルを保存する際に、前記の保存先の日付フォルダ５５Ｄが存在しない場合は、装置条件の時と同様に新規に日付フォルダ５５Ｄを作成する。
【００５６】
ステップＳ２８では、分析データ処理部３９は、全ての測定試料について分析を完了したか否かをチェックする。完了している場合（Ｙｅｓ）は、一連の処理を終了する。完了していない場合（Ｎｏ）は、ステップＳ２２に戻り、分析管理部３７はサンプルテーブルの分析順に従って、次の測定試料の分析を行う。
なお、ステップＳ２２からステップＳ２８は、複数の測定試料をシーケンス処理で分析している場合は、並行して処理される。
【００５７】
図３および図４の全体フローチャートの説明では、装置条件や処理条件を設定して、それからサンプルテーブルの設定と検出閾値設定をするとして説明したがそれに限定されるものではない。
ルーチンの分析においては、測定試料種別や分析目的がパターン化しており、予め装置条件や処理条件が確立され、すでにその組み合わせをメソッドデータ５４ｆとして記憶装置２４に登録されていることが多い。その場合ステップＳ１４〜Ｓ１８を省略してステップＳ１９、Ｓ２１だけとすることもできる。
【００５８】
図１１にサンプルテーブル設定と検出閾値設定を１つの操作画面で行える試料条件設定画面７０Ｂを示す。
試料条件設定画面７０Ｂは、前記した試料条件設定画面７０と似ており、同一の構成については同一符号を付し、重複する説明を省略する。試料条件設定画面７０Ｂは、メニュー欄６７、試料測定条件項目欄７２Ｂ、「確定」と表示された試料条件確定用のアイコンボタン７４より構成される。
【００５９】
試料測定条件項目欄７２Ｂには、検出閾値設定用に検出閾値設定画面７０Ａと同様に測定試料に対応させてチェック欄７２ｍが設けられ、さらに複数組の成分名欄７２ｎ、閾値欄７２ｐが設けられている（図１１では、１組の成分名欄７２ｎ、閾値欄７２ｐを代表的に表示）。
【００６０】
このように、測定試料に適用する装置条件と処理条件を１セットにまとめてメソッドデータ５４ｆとして分析データＤＢ５４（図２参照）に登録してある場合は、メソッドファイル名を、管理階層表示ボタン６９Ａを使用して検索し、選択指定することができる。
同時に、検出閾値設定を、メソッドファイル名にもとづいて、メソッドデータ５４ｆから検出予想成分を読み出して、前記したように検出予想成分を読み出し、容易に設定できる。
また、このようにサンプルテーブルを設定する際に検出閾値を設定する代わりに、メソッドデータ５４ｆの処理条件データの部分に、検出予想の成分名と検出閾値を前もって含めておいても良い。
【００６１】
《解析結果データの検索とコピー》
次に、図３、図４に示した全体フローチャートにしたがって解析結果データの保存が終了し、解析結果を点検する際に、異常な結果が出ている測定試料について優先的に点検しようとして、分析データ処理装置から、そのような解析結果データを検索して、そのときに用いられている装置条件や処理条件も妥当であるかをチェックするために関連するデータをリムーバブル・ディスクドライブに装着した記憶媒体、例えば、ＤＶＤにコピーする場合を想定する。
【００６２】
前記作業を図１２〜図１４を参照しながら説明する。図１２〜図１４は、特定の解析結果データを指定して、それに対応する分析データ、サンプルテーブルデータ、装置条件データ、処理条件データを検索してコピーする制御の流れを示すフローチャートである。
この制御はＵＩ制御部３５（図２参照）で行なわれる。
【００６３】
先ず、ステップＳ７１では、ユーザが指定した検索先のフォルダ５５Ａ〜５５Ｄを設定する。次いで、ユーザが入力した検索キーを設定する（ステップＳ７２）。検索キーは、例えば、「ＣＮ-＋ＣＮＣｌ-」のように検出閾値を超えた解析結果データ５４ｅであることを示す、検出閾値を超えた成分に関する情報とする。この場合は、水道水の分析においてシアン化物と塩化シアンが所定の検出閾値を超えて検出された測定試料に対する解析結果データ５４ｅを検索すること意味する。
なお、検索キーは、予め検索キーライブラリとして登録しておいて、その検索キーライブラリから選択して入力するのが、間違いが少なく効率的である。
【００６４】
ステップＳ７３では、ユーザの所定の操作により、ステップＳ７１で指定された検索先のフォルダ５５Ａ〜５５Ｄ内で、ステップＳ７２で指定された検索キーにしたがって検索する。
ステップＳ７４では、検出閾値を超えた成分に関わる情報のラベルを検出したか否かをチェックする。検出した場合（Ｙｅｓ）はステップＳ７５へ進み、検出しなかった場合（Ｎｏ）は、その旨をディスプレイ２６に表示して一連の制御を終了する。
【００６５】
ステップＳ７５では、当該の解析結果データ５４ｅのファイル名をディスプレイ２６に表示させる。そして、表示された解析結果データ５４ｅのファイル名をユーザがマウス２７ｂで選択したことを受けて、コピー対象の解析結果データ５４ｅを指定する（ステップＳ７６）。次いで、表示画面にコピー先のフォルダまたは記憶媒体をユーザに指定するように促す表示をし、ユーザの入力にしたがってコピー先のフォルダまたは記憶媒体を指定する（ステップＳ７７）。
【００６６】
ステップＳ７８では、コピー対象の解析結果データ５４ｅのファイルと、サンプルテーブルと測定試料が同一の分析データ５４ｄを特定する。また、コピー対象の解析結果データ５４ｅのファイルのサンプルテーブルデータ５４ｃを特定する（ステップＳ７９）。これは、解析結果データ５４ｅのファイル名は、前記したように解析結果データであることを示す識別子の後ろに続けて、付加情報として対応しているサンプルテーブルデータ５４ｃとの関係付け情報、およびサンプルテーブル中のどの測定試料であるかを示す関係付け情報を有していることから容易に特定できる。
【００６７】
ステップＳ８０では、関係付け情報とサンプルテーブルデータ５４ｃにもとづいて、装置条件データ５４ａと処理条件データ５４ｂを特定する。次いで、コピー先に、特定したサンプルテーブルは貼り付け済みか否かをチェックする（ステップＳ８１）。貼り付け済みの場合（Ｙｅｓ）はステップＳ８３へ進み、貼り付け済みでない場合（Ｎｏ）は、ステップＳ８２進む。ステップＳ８２では、サンプルテーブルデータ５４ｃをコピーしてコピー先に貼り付ける。
【００６８】
ステップＳ８３では、コピー先に、特定した装置条件は貼り付け済みか否かをチェックする。貼り付け済みの場合（Ｙｅｓ）はステップＳ８５へ進み、貼り付け済みでない場合（Ｎｏ）は、ステップＳ８４進む。ステップＳ８４では、装置条件データ５４ａをコピーしてコピー先に貼り付ける。
ステップＳ８５では、コピー先に、特定した処理条件は貼り付け済みか否かをチェックする。貼り付け済みの場合（Ｙｅｓ）はステップＳ８６へ進み、貼り付け済みでない場合（Ｎｏ）は、ステップＳ８７進む。ステップＳ８６では、処理条件データ５４ｂをコピーしてコピー先に貼り付ける。
【００６９】
ステップＳ８７では、特定した分析データ５４ｄをコピーしてコピー先に貼り付ける。また、引き続いて特定した解析結果データ５４ｅをコピーしてコピー先に貼り付ける（ステップＳ８８）。ステップＳ８９では、他にコピー対象の解析結果データ５４ｅがあるかどうかをチェックする。有の場合（Ｙｅｓ）はステップＳ７８に戻って、ステップＳ７８〜Ｓ８９の一連のコピーと貼り付け作業の処理を行う。無い場合（Ｎｏ）は検索とコピーの一連の作業の処理を終了する。
【００７０】
この一連のフローチャートでは装置条件データと処理条件データの２つのファイルをコピーすることとしたが、最初から一体のメソッドデータのファイルを１つコピーすることとしても良い。
【００７１】
ちなみに、前記したステップＳ７１〜Ｓ８９のフローチャートでは、指定した分析結果データのファイルから、それに対応する分析データ、サンプルテーブルデータ、装置条件データと処理条件データ（またはメッソドデータ）を別のフォルダまたは記憶媒体にコピーする例で説明したが、分析データを指定してそれに対応する解析結果データ、サンプルテーブルデータ、装置条件データと処理条件データ（またはメソッドデータ）を別のフォルダまたは記憶媒体にコピーする例ことも容易にできる。
さらに、サンプルテーブルデータを指定して、それに対応する分析データ、解析結果データ、装置条件データと処理条件データ（またはメッソドデータ）を別のフォルダまたは記憶媒体にコピーする例ことも容易にできる。
【００７２】
本実施形態におけるフローチャートのステップＳ１２は本発明のデータ管理構造作成手段を、ステップＳ１３は階層指定手段を、ステップＳ１４，Ｓ１５は装置条件設定手段を、ステップＳ１６，Ｓ１７は処理条件設定手段を、ステップＳ１８，Ｓ１９は試料条件設定手段を、ステップＳ２１は閾値設定手段を、ステップＳ２５は検出判定手段を、ステップＳ２６，Ｓ２７は解析結果データ保存手段を、ステップＳ７１〜Ｓ８０、Ｓ８９は検索手段を、ステップＳ８１〜Ｓ８８はデータ複写手段を構成する。
【００７３】
以上の本実施形態の分析データ処理装置によれば、分析データ５４ｄを解析処理した解析結果において指定された成分が検出閾値を超えた場合に、解析結果データ５４ｅをファイル保存する際に、検出閾値を超えた成分に関する情報をラベルとして付すので、異常成分を検出した解析結果データ５４ｅのファイルを検索しやすい。
【００７４】
また、そのような異常成分を検出した解析結果データ５４ｅのファイルを検索して、そのファイルに付されている関係付け情報にもとづいてそれに対応する分析データ５４ｄやサンプルテーブルデータ５４ｃを検索することができ、さらにサンプルテーブルデータ５４ｃにもとづいて当該の測定試料に対応する装置条件データ５４ａと処理条件データ５４ｂ（またはメッソドデータ５４ｆ）を検索することができ、それらのデータのファイルを別のフォルダまたは記憶媒体に容易にコピーすることができる。
【００７５】
その結果、分析作業を担当した以外の作業者が、別のパーソナルコンピュータなどを使用して検出閾値を超えた成分がある分析結果を早急に点検して、液体クロマトグラフ分析装置１の状態が正常か否か、特に、カラム５や検出器６に異常が無いか、測定試料の調整に異常が無いか、装置条件や処理条件の適用にミスが無いかなどを確認して、異常な解析結果は実際に成分が検出閾値を超えているものである正常な解析結果であることを確認する場合に便利である。
【００７６】
さらに、ユーザの指定したフォルダ階層でデータ管理構造が構築されるため、分析データ、解析結果データなどのファイルの管理が容易となる。また、装置条件、処理条件またはメソッドのデータなどの検索においても、ユーザ指定のフォルダ階層で保存されているため、絞込み検索と同様の感覚でフォルダ階層から検索が行え、かつ、分析データ処理装置の検索機能を必要としないので、特殊な環境を必要とせず容易に検索が可能となる。
また、プロジェクト名やユーザ名や、分析装置名のカテゴリ毎に分析データなどが管理されるため、分割データの一括バックアップや移動の操作が簡便化される。
【００７７】
以上、本実施形態の説明においては、液体クロマトグラフ分析装置１に適用した分析データ処理装置２０を例に、説明したがそれに限定されるものではなく、各種分析装置、例えば、ガスクロマトグラフ装置、質量分析装置、分光光度計などの各種分析装置の分析データ処理装置に適用できる。
【図面の簡単な説明】
【００７８】
【図１】本発明の実施形態に関わる分析データ処理装置を適用した標準的な液体クロマトグラフ分析装置の構成図である。
【図２】本実施形態の分析データ処理装置の機能構成ブロック図である。
【図３】分析作業全体の流れを示すフローチャートである。
【図４】分析作業全体の流れを示すフローチャートである。
【図５】フォルダの階層を作成する画面を説明する図である。
【図６】保存先のフォルダの階層の設定画面例を示す図である。
【図７】ファイル保存の画面例を示す図である。
【図８】サンプルテーブル設定のための試料条件設定画面を説明する図である。
【図９】検出閾値設定画面を説明する図である。
【図１０】検出閾値の設定の制御の流れを示すフローチャートである。
【図１１】サンプルテーブル設定と検出閾値設定を１つの操作画面で行える試料条件設定画面例の図である。
【図１２】特定の解析結果データを指定して、それに対応する分析データ、サンプルテーブルデータ、装置条件データ、処理条件データを検索してコピーする制御の流れを示すフローチャートである。
【図１３】特定の解析結果データを指定して、それに対応する分析データ、サンプルテーブルデータ、装置条件データ、処理条件データを検索してコピーする制御の流れを示すフローチャートである。
【図１４】特定の解析結果データを指定して、それに対応する分析データ、サンプルテーブルデータ、装置条件データ、処理条件データを検索してコピーする制御の流れを示すフローチャートである。
【符号の説明】
【００７９】
１      液体クロマトグラフ分析装置
２      溶離液タンク
３      ポンプ
４      サンプラ
５      カラム
６      検出器
７      制御部
８      通信ユニット
９      通信回線
１０    分析装置本体
１１    ＲＦＩＣタグ
２０    分析データ処理装置
２１    ＣＰＵ
２２    内部バス
２３    ＲＡＭ
２４    記憶装置
２５    入出力制御部
２６    ディスプレイ
２７ａ  キーボード
２７ｂ  マウス
２８    スピーカ
２９    リムーバブル・ディスクドライブ
３０    通信ユニット
３５    ユーザインタフェース制御部
３７    分析管理部
３９    分析データ処理部
５１    ユーザインタフェース制御プログラム
５２    分析管理プログラム
５３    分析データ処理プログラム
５４    分析データＤＢ
５４ａ  装置条件データ
５４ｂ  処理条件データ
５４ｃ  サンプルテーブルデータ
５４ｄ  分析データ
５４ｅ  解析結果データ
５４ｆ  メソッドデータ
【図１】
0004951428.tif 000002
【図２】
0004951428.tif 000003
【図３】
0004951428.tif 000004
【図４】
0004951428.tif 000005
【図５】
0004951428.tif 000006
【図６】
0004951428.tif 000007
【図７】
0004951428.tif 000008
【図８】
0004951428.tif 000009
【図９】
0004951428.tif 000010
【図１０】
0004951428.tif 000011
【図１１】
0004951428.tif 000012
【図１２】
0004951428.tif 000013
【図１３】
0004951428.tif 000014
【図１４】
0004951428.tif 000015